(57)【要約】【課題】外部より視認しがたくコンパクトで操作性の優れた窓の施錠装置を提供する。【解決手段】内召合わせ框の内部に格納されるロック装置本体２と、外召合わせ框に設けられるロック受け具３とからなり、ロック装置本体２は、ケース２１と、ケース２１に軸支されたクレセントフック２３と、クレセントフック２３の遠心側に固定された案内ピン２４と、ケース２１内に摺動自在に保持され案内ピン２４と係合する係合長穴２２４を有しクレセントフック２３を回動する摺動部材２２と、摺動部材２２に一端が固定された操作部材２５とを有する。  この施錠装置は内召合わせ框内に収納されるため、施錠装置を窓の外より視認する事ができず、防犯効果が高い。【選択図】図３
2006241941.tif 000002
【特許請求の範囲】
【請求項１】
内障子の内召合わせ框の内部に格納されるロック装置本体と、外障子の外召合わせ框に設けられるロック受け具とからなる窓の施錠装置であって、
前記ロック装置本体は、ケースと、該ケースに軸支されたクレセントフックと、該クレセントフックの遠心側に固定された案内ピンと、該ケース内に摺動自在に保持され該案内ピンと係合する係合長穴を有し該クレセントフックを回動する摺動部材と、該摺動部材に一端が固定された操作部材とを有することを特徴とする窓の施錠装置。
【請求項２】
前記ケースは、前記外召合わせ框に対向する前記内召合わせ框の対向壁部に固定される基板部と該基板部より所定間隔を隔てて立ち上がる１対の側板部とを有し、該基板部は前記クレセントフックの先端が突出するフック窓を有し、１対の前記側板部は該クレセントフックの軸部を支承し、前記案内ピンのそれぞれの端部が突出して案内される孤状長穴をもつ請求項１記載の窓の施錠装置。
【請求項３】
前記案内ピンは前記孤状長穴より突出する前記端部は該孤状長穴の幅より広い頭部となっている請求項２記載の窓の施錠装置。
【請求項４】
前記摺動部材は前記操作部材の一端が固定される背板部と該背板部より所定間隔を隔てて立ち上がり前記ケースの１対の前記側板部の内面に摺接し前記係合長穴をもつ１対の駆動側板部とを有し、前記駆動側板部は前記クレセントフックの前記軸部が挿通し摺動方向に延びる摺動方向長穴を有し、該係合長穴は該摺動方向長穴と交差する方向に延びる長穴である請求項２又は３記載の窓の施錠装置。
【請求項５】
前記クレセントフックの前記軸部が挿通し各前記駆動側板部の内面と摺接する１対のスペーサを持つ請求項４記載の窓の施錠装置。
【請求項６】
１対の前記側板部には前記摺動部材の前記背板部が摺接案内されるガイドを持つ請求項４記載の窓の施錠装置。
【請求項７】
前記ロック装置本体は前記内召合わせ框の対向壁部と背向する背向壁部に固定され、前記操作部材が挿通するガイド長穴を持つ操作カバーを持つ請求項１ないし６記載の窓の施錠装置。
【請求項８】
前記操作カバーと前記操作部材は前記クレセントフックが前記ロック受け具とが係合した状態で該操作カバーと該操作部材とを係止する係止手段を持つ請求項１ないし７記載の窓の施錠装置。
【発明の詳細な説明】
【技術分野】
【０００１】
本発明は、サッシ窓等の窓の施錠装置に関する。
【背景技術】
【０００２】
従来の住宅用引き違い窓は内障子の内召合わせ框の外周側にクレセントフックが設けられ、外障子の外召合わせ框にロック受け具が設けられている。このため窓ガラスを通して、クレセントフックの施解錠の状態や位置が容易に解り、侵入者の攻撃を受けやすかった。また、施錠装置が框の外周側に在るため框から突出し、視界の邪魔になり、意匠的にも好ましくなかった。
【０００３】
この解決策として、框内に施錠装置を収納した窓の施錠装置が提案されている。
【特許文献１】特開２００３−００３７１６号公報                              この窓の施錠装置は、施錠の操作部が框の外周側に大きく突出するとか操作性が悪いと言った問題があった。
【発明の開示】
【発明が解決しようとする課題】
【０００４】
本願発明は、上記の問題を解消するもので、外部より視認しがたく、コンパクトで操作性の優れた窓の施錠装置を提供することを目的とする。
【課題を解決するための手段及び作用、効果】
【０００５】
本発明の窓の施錠装置は、内障子の内召合わせ框の内部に格納されるロック装置本体と、外障子の外召合わせ框に設けられるロック受け具とからなる窓の施錠装置であって、前記ロック装置本体は、ケースと、該ケースに軸支されたクレセントフックと、該クレセントフックの遠心側に固定された案内ピンと、該ケース内に摺動自在に保持され該案内ピンと係合する係合長穴を有し該クレセントフックを回動する摺動部材と、該摺動部材に一端が固定された操作部材とを有することを特徴とする。
【０００６】
本発明の窓の施錠装置はそのロック装置本体の操作部材の先端部を除く他の全ての部分が内障子の内召合わせ框の内部に格納される。そして、外障子の内召合わせ框に設けられたロック受け具とクレセントフックが係合した状態では、ロック受け具とクレセントフックは内障子及び外障子の互いに当接している内召合わせ框及び外召合わ框に隠れて視認できず、防犯性に優れている。
【０００７】
また操作部材の先端部を除く他の全ての部分が框の内部に収納されるためコンパクトとなっている。さらに、操作部材の先端部を框の延びる方向に駆動することにより施錠及び解錠できるため、操作性に優れている。
【０００８】
本発明の窓の施錠装置は、クレセントフックを用いている。クレセントフックは、従来より良く知られているように、軸支される扇状の部分とこの扇状の部分の外周端に一体的に設けられ軸方向に所定の幅を持ち一端側より他端側に軸心からの距離が短くなる三日月状の係合部分を持つ。本発明の窓の施錠装置のロック装置本体は、このクレセントフックを用い、内障子の内召合わせ框の内部に格納されている。
【０００９】
このロック装置本体は、クレセントフックとこれを軸支するケースと、クレセントフックの遠心側に固定された案内ピンと、ケース内に摺動自在に保持されこの案内ピンと係合する係合長穴を有する摺動部材とこの摺動部材に一端が固定された操作部材とを有する。
【００１０】
ケースは、外召合わせ框に対向する内召合わせ框の対向壁部に固定される基板部とこの基板部より所定間隔を隔てて立ち上がる１対の側板部とを有するものとすることができる。この基板部はクレセントフックの先端が突出するフック窓を持つ。１対の側板部はその側板部間にクレセントフックを収納しその軸部を支承すると共に案内ピンのそれぞれの端部が突出して案内される孤状長穴をもつものとすることができる。
【００１１】
ロック受け具と係合するクレセントフックはロック受け具に近接する方向に付勢される。この付勢力は軸支しているケースに作用し、さらにケースが固定されている内召合わせ框に作用する。これによりロック受け具が固定されている外召合わせ框と内召合わせ框とは互いに近接して固定される。
【００１２】
ケースの１対の側板部に設けられた孤状長穴はそれぞれ案内ピンの端部が挿通し、両端部を案内している。これにより案内ピンは孤状長穴の延びる方向にのみ可動となる。なお、孤状長穴の曲率中心はクレセントフックの軸支された軸線上に位置している。そして、クレセントフックの軸支中心から案内ピンが固定された位置までの距離がクレセントフックを回動するトルクに関係する。
【００１３】
案内ピンは孤状長穴より突出する各端部は孤状長穴の幅より広い頭部とするのが好ましい。この大きな頭部とする事により案内ピンの頭部は孤状長穴より離脱することが無くなり、より確実に案内ピンは孤状長穴に案内されることになる。
【００１４】
摺動部材は操作部材の一端が固定される背板部と背板部より所定間隔を隔てて立ち上がり係合長穴をもつ１対の駆動側板部とを有するものとすることができる。なお、１対の駆動側板部はクレセントフックの軸部が挿通し摺動方向に延びる摺動方向長穴とこの該摺動方向長穴と交差する方向に延びる係合長穴とを有するものとすることができる。この摺動部材は１対の駆動側板部がケースの１対の側板部の内側に保持され、かつ摺動方向長穴にクレセントフックの軸部が挿通しているため、摺動部材はケースに対して一方向のみに相対移動できるものとなり、摺動方向以外の相対方向は阻止される。
【００１５】
また、案内ピンの両端部は、ケースの側板部の孤状長穴と摺動部材の駆動側板部の係合長穴が交差した位置に常に位置することになり、案内ピンはその両端部で位置決めされ案内ピンが固定されているクレセントフックに対するねじれ等の変位が阻止される。これにより案内ピンは摺動部材の動きを確実にクレセントフックに伝達することができる。
【００１６】
クレセントフックの軸部には、この軸部が挿通し各駆動側板部の内面と摺接する１対のスペーサを介在させることが望ましい。これら１対のスペーサによりクレセントフックの軸方向の動きが規制され、クレセントフックにロック受け具から軸方向の付勢力が作用してもクレセントフックは軸方向に動くことなくその付勢力に対抗する事ができる。
【００１７】
また、ケースの１対の側板部には摺動部材の背板部が摺接案内されるガイドを持つものとすることができる。このガイドにより摺動部材はより確実にケース内のに摺動位置に保持される。
【００１８】
さらに、ロック装置本体は格納されている内召合わせ框の対向壁部と背向する背向壁部に固定され、操作部材が挿通するガイド長穴を持つ操作カバーを持つものとすることができる。これにより操作部材がガイド長穴に案内され、操作による操作部材の動きが安定する。この操作カバーと操作部材との間に、クレセントフックとロック受け具とが係合した状態で操作カバーと操作部材とを係止する係止手段を持つものとすることができる。係止手段を解除しないと操作部材が動かないため不法なロック解除に対抗するより効果的な施錠装置となる。
【発明を実施するための最良の形態】
【００１９】
以下、本発明の窓の施錠装置の実施例を説明する。この窓の施錠装置１は図１に示す引き違い窓１１の内障子１２と外障子１３の施錠に用いられている。この施錠装置１は、図１のＡ−Ａ方向から見た拡大断面図である図２に示すように、内障子１２の上下方向に延びる内召合わせ框１２１に設けられたロック装置本体２と外障子１３の上下方向に延びる外召合わせ框１３１に設けられたロック受け具３とからなる。
【００２０】
ロック装置本体２は、図２及び図２のＢ−Ｂ方向から見た断面図である図３に示すように、本発明のケースを構成する外ケース２１と、本発明の摺動部材を構成する内ケース２２と、クレセントフック２３と、案内ピン２４と、操作部材２５とからなる。
【００２１】
外ケース２１は基板部２１１とこの基板部２１１の裏面に固定された１対の側板部２１２、２１２を持つ６面体からなる箱状である。この基板部２１１はその中央部分に長方形状のフック窓２１５を持つ。また、１対の側板部２１２、２１２には、軸孔２１６とこの軸孔２１６と同心の孤状に延びる孤状長穴２１７を持つ。外ケース２１は基板部２１１と背向する板部に近い部分に上下方向に長く中央部分に長穴を持つ樹脂製のガイド２１８が固定されている。
【００２２】
内ケース２２は１枚の金属板を断面コ字形状に折り曲げたもので、１対の駆動側板部２２１、２２１とそれらを連結する背板部２２２とからなる。これら１対の駆動側板部２２１、２２１には、外ケース２１の軸孔２１６と重なり合う上下方向に延びる第一長穴２２３と、この第一長穴２２３の延びる方向と直行する水平方向に延びる第二長穴２２４を持つ。この内ケース２２はその背板部２２２が外ケース２１の基板板２１１とガイド２１８との間に上下方向に相対移動可能に収納されている。
【００２３】
クレセントフック２３は、図４に示すように、揺動軸孔２３１と駆動軸孔２３２とを持つ扇状の中央部２３３とこの中央部２３３の孤状周縁より軸と平行な三日月状の係合部２３４とからなる。なお、係合部２３４の一端の先端部分２３５は中央部２３３より突出している。係合部２３４と揺動軸孔２３１とを結ぶ距離は、その先端部分２３５から揺動軸孔２３１までの距離が最も長く、先端部分２３５より離れた係合部２３４の部分から揺動軸孔までの距離は短くなる。中央部２３４は先端部分２３５と背向する側が突出し、そこに駆動軸孔２３２が形成されている。
【００２４】
クレセントフック２３は揺動軸孔２３１に挿通する揺動軸２３６を持つ。この揺動軸２３６の両端部は内ケース２２の第一長穴２２３を挿通し、さらにその外側の外ケース２１の軸孔２１６も挿通している。揺動軸２３６の軸孔２１６を挿通した両端部分は軸孔２１６より大きい頭部２３７となり、軸孔２１６より抜け出ないようになっている。
【００２５】
なお、クレセントフック２３と内ケース２２の両駆動側板部２２１、２２１との間の揺動軸２３６にはそれぞれ樹脂製のスペーサ２３８、２３８が設けられている。さらに、内ケース２２の駆動側板部２２１、２２１と外ケース２１の側板部２１２、２１２との間、側板部２１２、２１２と揺動軸２３６の頭部２３７、２３７との間にはそれぞれ樹脂製の摺動シート（図示せず。）が設けられている。これらスペーサ２３８、２３８及び摺動シートにより、金属同士の接触を阻止し、なめらかな摺動を保っている。なお、スペーサ２３８、２３８はさらにクレセントフックを揺動軸２３６の中央部に位置させる役割も果たしている。
【００２６】
クレセントフック２３の係合部２３４と係合するロック受け具３は、図５にその平面図と中央で切断した縦断面図及び横断面図を示すように、Ｈ字形状の基部３１と基部の中央部分の一端側より立ち上がりさらに基部３１と平行に延びる先端部３２を持つ係止部３３と中央部分の他端側より立ち上がる当接壁部３４とからなる。基部３１の４隅には、外召合わせ框１３１にビスで固定されるためのビス穴３１１を持つ。
【００２７】
案内ピン２４は棒状の本体とその両端に固定された頭部とを持つ。この案内ピン２４はクレセントフック２３の駆動軸２３６に挿通保持され、さらにその両端部分が内ケース２１の第二長穴２２４と外ケース２１の孤状長穴２１７を挿通している。そして両端の頭部は孤状長穴２１７を挿通した１対の側板部の外側に位置している。なお、クレセントフック２３と内ケース２２の両駆動側板部２２１、２２１との間の案内ピン２４にはそれぞれ樹脂製のスペーサ（図示せず。）が設けられ、さらに、内ケース２２の駆動側板部２２１、２２１と外ケース２１の側板部２１２、２１２との間、側板部２１２、２１２と案内ピン２４の頭部との間にはそれぞれ樹脂製の摺動シート（図示せず。）が設けられている。
【００２８】
操作部材２５は摘みカバー２５１と摘み２５２と裏板２５３と結合ロッド２５４と圧縮ばね２５５とからなる。摘みカバー２５１は内召合わせ框１２１に設けられた開口に没入固定される突出部分を持つ樹脂製で幅方向の中央部分に上下方向に長い長穴５１１と裏面に上下方向に延びる延びるガイド溝５１２と係止壁５１３を持つ。
【００２９】
摘み２５２はその裏側部分が摘みカバ２５１の長穴５１１内に収納され摘みカバー２５１に摺動自在に案内保持されている。裏板２５３は摘み２５２と一体的に固定され、摘みカバー２５１の長穴５１１を覆う部材である。この裏板２５３の表面側にガイド溝５１２に案内され、係止壁５１３と係止する係止突部５３１をもつ。一体となっている摘み２５２と裏板２５３の中央部分に裏側に開口する係合深穴を持つ。
【００３０】
結合ロッド２５４はその一端が内ケース２２に固定され他端の棒状部分が摘み２５２と裏板２５３の係合深穴に軸方向に相対移動可能に装着されている。圧縮ばね２５５は結合ロッド２５４に装着され内ケース２２と裏板２５３とを離れる方向に付勢している。
【００３１】
本実施例の窓の施錠装置は前記した構成を持つ。
【００３２】
この施錠装置の摘み２５２を図３上で上方に指で押すと、摘み２５２と裏板２５３は摘みカバー２５１に対して一体的に上方に押される。この上方への動きが結合ロッド２５４で内ケース２２に伝えられ、内ケース２２も外ケース２１内を上方に移動する。内ケース２２の２個１対の第二長穴２２４に両端部が挿通して係合している案内ピン２４は、内ケース２２に押されて外ケース２１の孤状長穴２１７に沿って上方に動く。案内ピン２４はクレセントフック２３の駆動軸孔２３２を挿通して係合しているため、案内ピン２４の動きはクレセントフック２３を反時計回転方向に回動させることになる。この回転によりクレセントフック２３の係合部２３４の先端部分２３５がロック受け具３の係止部３３と当接壁部３４の間に入り込む。摘み２５２がさらに上方に押され、クレセントフック２３がさらに回転するとクレセントフック２３の係合部２３４は先端部分２３５から奥の方に進み、クレセントフック２３の係合部２３５はロック受け具３の係止部３３と当接し、係止部３３を外ケース側に引き寄せる。係止部３３はロック受け具３及び外召合わせ框１３１と一体的に固定されているため、クレセントフック２３により外召合わせ框１３１は内召合わせ框１２１に引き寄せられることになる。これにより外召合わせ框１３１と内召合わせ框１２１とは固定される。
【００３３】
なお、摘み２５２が上方に押されると裏板２５３も上方に動き、裏板２５３の係止突部５３１は摘みカバー２５１のガイド溝５１２内を上方に移動し、係止壁５１３を乗り越える。裏板２５３は圧縮ばね２５５で摘みカバー２５１側に押されているため、係止突部５３１は係止壁５３１を逆方向に乗り越えることができずロックされる。この解除は、摘み２５２を逆方向に押圧して圧縮ばね２５５を逆に押しつけ、係止突部５３１を係止壁５３１より押し上げて係止壁５３１を乗り越えさせる。これによりロックが解除される。
【００３４】
この実施例の窓の施錠装置はロック本体が内召合わせ框１２１内に収納されているため、施錠装置を窓の外より視認する事ができない。このため防犯効果が高い。また、内召合わせ框の外側に出ている部分は摘み２５２の先端部分のみであるため、意匠上問題とならない。
【００３５】
またこの施錠装置は框の内部に収納できる程度にコンパクトとなっている。さらに、操作部材の先端部を框の延びる方向に駆動することにより施錠及び解錠できるため、操作性に優れている。
【００３６】
また、案内ピン２４の両端部は、外ケース２１の側板部２１２の孤状長穴２１７と内ケース２２の駆動側板部２２１の係合長穴２２２が交差した位置に常に位置することになり、案内ピン２４はその両端部で位置決めされ、案内ピン２４が固定されているクレセントフック２３に対するねじれ等の変位が阻止される。これにより案内ピン２４は内ケース２２の動きを確実にクレセントフック２３に伝達することができる。
【図面の簡単な説明】
【００３７】
【図１】実施例の窓の施錠装置を持つ窓の立面図である。
【図２】図１のＡ−Ａ方向から見た拡大断面図である。
【図３】図２のＢ−Ｂ方向から見た断面図である。
【図４】クレセントフックの側面図である。
【図５】ロック受け具の平面図、縦断面図及び横断面図である。
【符号の説明】
【００３８】
１：窓の施錠装置    ２：ロック装置本体    ３：ロック受け具
１１：引き違い窓    １２：内障子          １３：外障子
２１：外ケース      ２２：内ケース        ２３：クレセントフック
２４：案内ピン      ２５：操作部材
【図１】
2006241941.tif 000003
【図２】
2006241941.tif 000004
【図３】
2006241941.tif 000005
【図４】
2006241941.tif 000006
【図５】
2006241941.tif 000007